(57)【要約】アクセス端末のためのサービス品質（ＱｏＳ）を構成することをネットワークにより実施可能な装置および方法は、パケットデータアクセス要求をネットワークにおいてアクセス端末から受信するように動作可能である。前記装置および方法は、前記ネットワークで並びに前記パケットデータアクセスの確立に基づいて、前記アクセス端末上の少なくとも１つのアプリケーションに対応する少なくとも１つの予約リンクのための初期ＱｏＳポリシー構成を決定するように動作可能であり、前記初期ＱｏＳポリシー構成は事前構成情報に基づくもので、かつ前記少なくとも１つのアプリケーションのための初期ＱｏＳパラメータを備える。さらに、前記装置および方法は、前記アクセス端末上の前記少なくとも１つのアプリケーションの開始前に、前記アクセス端末との前記少なくとも１つの予約リンクを確立するように動作可能であり、前記少なくとも１つの予約リンクは前記少なくとも１つのアプリケーションに関する前記初期ＱｏＳパラメータを含む。【選択図】図１
2011512708.tif 000002
【特許請求の範囲】
【請求項１】
アクセス端末のためのサービス品質（ＱｏＳ）を構成することをネットワークにより実施可能な方法であって、
パケットデータアクセス要求をネットワークにおいてアクセス端末から受信することと、
前記ネットワークで並びに前記パケットデータアクセスの確立に基づいて、前記アクセス端末上の少なくとも１つのアプリケーションに対応する少なくとも１つの予約リンクのための初期ＱｏＳポリシー構成を決定することであって、前記初期ＱｏＳポリシー構成は事前構成情報に基づくもので、かつ前記少なくとも１つのアプリケーションのための初期ＱｏＳパラメータを備えることと、
前記アクセス端末上の前記少なくとも１つのアプリケーションの開始前に、前記アクセス端末との前記少なくとも１つの予約リンクを確立することであって、前記少なくとも１つの予約リンクは前記少なくとも１つのアプリケーションのための前記初期ＱｏＳパラメータを含むことと、
を備える方法。
【請求項２】
前記アクセス端末上の複数のアプリケーションのために前記初期ＱｏＳポリシー構成を複数の予約リンクと関連づけることをさらに備える請求項１に記載の方法。
【請求項３】
前記通信リンクを確立することは、前記少なくとも１つの予約リンクを有効にすることをさらに備える請求項２に記載の方法。
【請求項４】
前記通信リンクを確立することは、前記少なくとも１つの予約リンクを無効にすることをさらに備える請求項２に記載の方法。
【請求項５】
前記アクセス端末からの予約リンク活性化要求を受信することまたは前記予約リンクを活性化すべきであることを前記ネットワークによって決定することをさらに備え、前記予約リンクを有効にすることをさらに備える請求項２に記載の方法。
【請求項６】
前記予約リンク活性化要求は、前記アクセス端末によって開始される呼に基づくものである請求項５に記載の方法。
【請求項７】
前記予約リンク活性化要求は、前記アクセス端末によって終了される呼に基づくものである請求項５に記載の方法。
【請求項８】
前記事前構成情報は、ＱｏＳユーザプロフィールを含む加入者情報を備える請求項１に記載の方法。
【請求項９】
前記アクセス端末によって用いられるアクセスネットワークに基づいて前記ＱｏＳユーザプロフィールから前記初期ＱｏＳパラメータを導出することをさらに備える請求項８に記載の方法。
【請求項１０】
前記初期ＱｏＳポリシー構成は、前記少なくとも１つのアプリケーションのためのポリシー規則を備え、各ポリシー規則は前記少なくとも１つのアプリケーションのためのフルまたはパーシャルパケットフィルタのうちの少なくとも１つと前記初期ＱｏＳパラメータとを備える請求項１に記載の方法。
【請求項１１】
前記初期ＱｏＳパラメータは、ベストエフォートトラフィックのための最大の許可総帯域幅、各方向のための許可フロープロフィールＩＤ、フローごとの最高の優先度、許容差別化サービスのマーキング、ベストエフォートのためのユーザ間優先度、ＱｏＳクラスと差別化サービスコードポイント（ＤＳＣＰ）との間のマッピング、およびＱｏＳクラスとトークンバケットパラメータとの間のマッピングのうちの少なくとも１つを備える請求項１に記載の方法。
【請求項１２】
前記決定することは、前記アクセス端末からの入力なしに行われる請求項１に記載の方法。
【請求項１３】
前記予約リンクを確立することに続いて新しいＱｏＳパラメータによって前記初期ＱｏＳ構成を更新することをさらに備える請求項１に記載の方法。
【請求項１４】
アクセス端末のためのサービス品質（ＱｏＳ）を構成することをネットワークによって実施可能な少なくとも１つのプロセッサであって、
パケットデータアクセス要求をネットワークにおいてアクセス端末から受信するための第１のモジュールと、
前記ネットワークでて並びに前記パケットデータアクセスの確立に基づいて、前記アクセス端末上の少なくとも１つのアプリケーションに対応する少なくとも１つの予約リンクのための初期ＱｏＳポリシー構成を決定するための第２のモジュールであって、前記初期ＱｏＳポリシー構成は、事前構成情報に基づくもので、かつ前記少なくとも１つのアプリケーションのための初期ＱｏＳパラメータを備える第２のモジュールと、
前記アクセス端末上の前記少なくとも１つのアプリケーションの開始前に、前記アクセス端末との前記少なくとも１つの予約リンクを確立するための第３のモジュールであって、前記少なくとも１つの予約リンクは、前記少なくとも１つのアプリケーションのための前記初期ＱｏＳパラメータを含む第３のモジュールと、
を備える少なくとも１つのプロセッサ。
【請求項１５】
アクセス端末のためのサービス品質（ＱｏＳ）を構成することをネットワークによって実施可能なコンピュータプログラム製品であって、
パケットデータアクセス要求をネットワークにおいてアクセス端末から受信することをコンピュータに行わせるための第１組の符号と、
前記ネットワークで並びに前記パケットデータアクセスの確立に基づいて、前記アクセス端末上の少なくとも１つのアプリケーションに対応する少なくとも１つの予約リンクのための初期ＱｏＳポリシー構成を決定することを前記コンピュータに行わせるための第２組の符号であって、前記初期ＱｏＳポリシー構成は事前構成情報に基づくもので、かつ前記少なくとも１つのアプリケーションのための初期ＱｏＳパラメータを備える第２組の符号と、
前記アクセス端末上の前記少なくとも１つのアプリケーションの開始前に、前記アクセス端末との前記通信リンクを確立することを前記コンピュータに行わせるための第３組の符号であって、前記通信リンクは前記少なくとも１つのアプリケーションのための前記初期ＱｏＳパラメータを含む第３組の符号と、
を備えるコンピュータ読み取り可能な媒体を備えるコンピュータプログラム製品。
【請求項１６】
アクセス端末のためのサービス品質（ＱｏＳ）を構成することを実施可能なネットワーク装置であって、
パケットデータアクセス要求をネットワークにおいてアクセス端末から受信するための手段と、
前記ネットワークで並びに前記パケットデータアクセスの確立に基づいて、前記アクセス端末上の少なくとも１つのアプリケーションに対応する少なくとも１つの予約リンクのための初期ＱｏＳポリシー構成を決定するための手段であって、前記初期ＱｏＳポリシー構成は事前構成情報に基づくもので、かつ前記少なくとも１つのアプリケーションのための初期ＱｏＳパラメータを備える手段と、
前記アクセス端末上の前記少なくとも１つのアプリケーションの開始前に、前記アクセス端末との前記少なくとも１つの予約リンクを確立するための手段であって、前記少なくとも１つの予約リンクは前記少なくとも１つのアプリケーションのための前記初期ＱｏＳパラメータを含む手段と、
を備えるネットワーク装置。
【請求項１７】
アクセス端末のためのサービス品質（ＱｏＳ）を構成することを実施可能なネットワーク装置であって、
ネットワークへのパケットデータアクセスの要求をアクセスから受信するように動作可能な受信機と、
前記ネットワークで並びに前記パケットデータアクセスの確立に基づいて、前記アクセス端末上の少なくとも１つのアプリケーションに対応する少なくとも１つの予約リンクのための初期ＱｏＳポリシー構成を決定するように動作可能なポリシー機能であって、前記初期ＱｏＳポリシー構成は事前構成情報に基づくもので、かつ前記少なくとも１つのアプリケーションのための初期ＱｏＳパラメータを備えるポリシー機能と、
前記アクセス端末上の前記少なくとも１つのアプリケーションの開始前に、前記アクセス端末との前記少なくとも１つの予約リンクを確立するように動作可能なアクセスネットワークであって、前記少なくとも１つの予約リンクは前記少なくとも１つのアプリケーションのための前記初期ＱｏＳパラメータを含むアクセスネットワークと、
を備える、ネットワーク装置。
【請求項１８】
前記アクセス端末上の複数のアプリケーションのために前記初期ＱｏＳポリシー構成を複数の予約リンクと関連づけるように動作可能なアクセスゲートウェイをさらに備える請求項１７に記載の装置。
【請求項１９】
前記アクセスゲートウェイは、前記アクセスネットワークによる前記少なくとも１つの予約リンクの確立に伴って前記予約を有効にするようにさらに動作可能である請求項１８に記載の装置。
【請求項２０】
前記アクセスゲートウェイは、前記アクセスネットワークによる前記少なくとも１つの予約リンクの確立に伴って前記予約を無効にするようにさらに動作可能である請求項１８に記載の装置。
【請求項２１】
前記アクセスネットワークは、前記アクセス端末から予約リンク活性化要求を受信するようにさらに動作可能であるかまたは前記予約リンクを活性化すべきであることを前記アクセスネットワークにおいて決定するように動作可能であり、前記アクセスゲートウェイは前記予約リンク活性化要求に基づいて前記予約を有効にするようにさらに動作可能である請求項１８に記載の装置。
【請求項２２】
前記予約リンク活性化要求は、前記アクセス端末によって開始される呼に基づくものである請求項２１に記載の装置。
【請求項２３】
前記予約リンク活性化要求は、前記アクセス端末によって終了される呼に基づくものである請求項２１に記載の装置。
【請求項２４】
前記事前構成情報は、ＱｏＳユーザプロフィールを含む加入者情報を備える請求項１７に記載の装置。
【請求項２５】
前記ポリシー機能は、前記アクセス端末によって用いられる前記アクセスネットワークに基づいて前記ＱｏＳユーザプロフィールから前記初期ＱｏＳパラメータを導出するようにさらに動作可能である請求項２４に記載の装置。
【請求項２６】
前記初期ＱｏＳポリシー構成は、前記少なくとも１つのアプリケーションのためのポリシー規則を備え、各ポリシー規則は前記少なくとも１つのアプリケーションのためのフルまたはパーシャルパケットフィルタのうちの少なくとも１つと前記初期ＱｏＳパラメータとを備える請求項１７に記載の装置。
【請求項２７】
前記初期ＱｏＳパラメータは、ベストエフォートトラフィックのための最大の許可総帯域幅、各方向のための許可フロープロフィールＩＤ、フローごとの最高の優先度、許容差別化サービスのマーキング、ベストエフォートのためのユーザ間優先度、ＱｏＳクラスと差別化サービスコードポイント（ＤＳＣＰ）との間のマッピング、およびＱｏＳクラスとトークンバケットパラメータとの間のマッピングのうちの少なくとも１つを備える請求項１７に記載の装置。
【請求項２８】
前記ポリシー機能は、前記アクセス端末からの入力を受信せずに前記初期ＱｏＳポリシー構成を決定するようにさらに動作可能である請求項１７に記載の装置。
【請求項２９】
前記ポリシー機能は、前記通信リンクを確立することに続いて新しいＱｏＳパラメータによって前記初期ＱｏＳ構成を更新するようにさらに動作可能である請求項１７に記載の装置。
【発明の詳細な説明】
【技術分野】
【０００１】
３５Ｕ．Ｓ．Ｃ．§１１９に基づく優先権の主張
本特許出願は、 “METHOD AND APPRATUS FOR OPTIMIZED SESSION SETUP WITH NETWORK-INITIATED QoS AND POLICY CONTROL”（ネットワーク起動されるＱｏＳ及びポリシー制御による最適化セッションセットアップのための方法及び装置）という題名で２００８年１月１０日に出願され、その譲受人に譲渡され、引用によりここに明らかに組み込まれる仮特許出願番号６１／０２０，３５９の優先権を主張するものである。
【０００２】
同時係属特許出願の参照
本特許出願は、“QUALITY OF SERVICE INFORMATION CONFIGURATION”（サービス品質情報構成）という題名で２００８年６月１０日に出願され、その譲受人に譲渡され、引用によりここに明らかに組み込まれる同時係属中の米国特許出願番号１２／１３６，５３８（出願日：）に関連している。
【０００３】
以下の記載は、一般に無線通信に関し、特にサービス品質情報のネットワークベース構成に関する。
【背景技術】
【０００４】
無線通信システムは音声、データ等の様々なタイプの通信コンテンツを提供するために広範囲に配備されている。これらシステムは、利用可能なシステム資源（例えば、帯域幅および送信電力）を共有することによって複数のユーザとの通信をサポートできる多元接続システムであり得る。こうした多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムを含む。
【０００５】
ネットワークへの接続では、アクセス端末がセッションを確立する。このセッションは様々な通信パラメータを持つことができ、そのうちの１つはサービス品質（ＱｏＳ）である。幾つかのシナリオにおいて、サービス品質（ＱｏＳ）は通信エンドポイント間でのシグナリング交換の一巡後にセットアップ（ｓｅｔ  ｕｐ）される。これは、呼のセットアップの不要な遅れ並びに良くないユーザ経験を招き得る。
【０００６】
従って、ネットワークへの接続性に関するＱｏＳの確立における改善が望まれる。
【発明の概要】
【０００７】
以下は、１つ以上の態様の単純化された概要を提示してこれら態様の基本的な理解をもたらすためのものである。この概要は全思案態様の広範な全体像ではなく、全ての態様の主要または重要な要素を明らかにしたり、いずれかまたは全ての態様の範囲を描写したりすることを意図するものでもない。この概要の唯一の目的は、後で提示されるより詳細な説明の序文として、１つ以上の態様の幾つかの概念を単純化した形式で提示することである。
【０００８】
一態様では、アクセス端末のためのサービス品質（ＱｏＳ）を構成（ｃｏｎｆｉｇｕｒｅ）することをネットワークにより実施可能な方法が、アクセス端末からのパケットデータアクセス要求をネットワークで受信することを備える。前記方法は、前記ネットワークでて並びに前記パケットデータアクセスの確立に基づいて、前記アクセス端末上の少なくとも１つのアプリケーションに対応する少なくとも１つの予約リンクのための初期ＱｏＳポリシー構成（ｐｏｌｉｃｙ  ｃｏｎｆｉｇｕｒａｔｉｏｎ）を決定することをさらに備え、前記初期ＱｏＳポリシー構成は事前構成情報に基づくもので、かつ前記少なくとも１つのアプリケーションのための初期ＱｏＳパラメータを備える。加えて、前記方法は前記アクセス端末上における前記少なくとも１つのアプリケーションの開始前に前記アクセス端末との前記少なくとも１つの予約リンクを確立することを備え、前記少なくとも１つの予約リンクは前記少なくとも１つのアプリケーションのための前記初期ＱｏＳパラメータを含む。
【０００９】
他の態様では、アクセス端末のためのサービス品質（ＱｏＳ）を構成することをネットワークにより実施可能な少なくとも１つのプロセッサが、アクセス端末からのパケットデータアクセス要求をネットワークで受信するための第１のモジュールを備える。前記少なくとも１つのプロセッサは前記ネットワークでて並びに前記パケットデータアクセスの確立に基づいて、前記アクセス端末上の少なくとも１つのアプリケーションに対応する少なくとも１つの予約リンクのための初期ＱｏＳポリシー構成を決定するための第２のモジュールをさらに備え、前記初期ＱｏＳポリシー構成は事前構成情報に基づくもので、かつ前記少なくとも１つのアプリケーションのための初期ＱｏＳパラメータを備える。さらに、前記少なくとも１つのプロセッサは前記アクセス端末上における前記少なくとも１つのアプリケーションの開始前に前記アクセス端末との前記少なくとも１つの予約リンクを確立するための第３のモジュールを備え、前記少なくとも１つの予約リンクは前記少なくとも１つのアプリケーションのための前記初期ＱｏＳパラメータを含む。
【００１０】
さらなる態様では、アクセス端末のためのサービス品質（ＱｏＳ）を構成することをネットワークによって実施可能なコンピュータプログラム製品が、複数のコードを備えるコンピュータ可読媒体を備える。前記複数のコードは、アクセス端末からのパケットデータアクセス要求をネットワークで受信することをコンピュータに行わせるための第１セットのコードを備える。前記複数のコードは前記ネットワークで並びに前記パケットデータアクセスの確立に基づいて前記アクセス端末上の少なくとも１つのアプリケーションに対応する少なくとも１つの予約リンクのための初期ＱｏＳポリシー構成を決定することを前記コンピュータに行わせるための第２セットのコードをさらに備え、前記初期ＱｏＳポリシー構成は事前構成情報に基づくもので、かつ前記少なくとも１つのアプリケーションのための初期ＱｏＳパラメータを備える。加えて、前記複数のコードは前記アクセス端末上の前記少なくとも１つのアプリケーションの開始前に前記アクセス端末との前記少なくとも１つの予約リンクを確立することを前記コンピュータに行わせるための第３セットのコードを備え、前記少なくとも１つの予約リンクは前記少なくとも１つのアプリケーションのための前記初期ＱｏＳパラメータを含む。
【００１１】
さらに他の態様では、アクセス端末のためのサービス品質（ＱｏＳ）を構成することを実施可能なネットワーク装置が、アクセス端末からのパケットデータアクセス要求をネットワークで受信するための手段を備える。前記ネットワーク装置は前記ネットワークにより並びに前記パケットデータアクセスの確立に基づいて前記アクセス端末上の少なくとも１つのアプリケーションに対応する少なくとも１つの予約リンクのための初期ＱｏＳポリシー構成を決定するための手段をさらに備え、前記初期ＱｏＳポリシー構成は事前構成情報に基づくもので、かつ前記少なくとも１つのアプリケーションのための初期ＱｏＳパラメータを備える。加えて、前記ネットワーク装置は前記アクセス端末上の前記少なくとも１つのアプリケーションの開始前に前記アクセス端末との前記少なくとも１つの予約リンクを確立するための手段を備え、前記少なくとも１つの予約リンクは前記少なくとも１つのアプリケーションのための前記初期ＱｏＳパラメータを含む。
【００１２】
さらなる態様では、アクセス端末のためのサービス品質（ＱｏＳ）を構成することを実施可能なネットワーク装置が、ネットワークへのパケットデータアクセスの要求をアクセス端末から受信するように動作可能な受信機を備える。前記ネットワーク装置は前記ネットワークで並びに前記パケットデータアクセスの確立に基づいて前記アクセス端末上の少なくとも１つのアプリケーションに対応する少なくとも１つの予約リンクのための初期ＱｏＳポリシー構成を決定するように動作可能なポリシー機能をさらに備え、前記初期ＱｏＳポリシー構成は事前構成情報に基づくもので、かつ前記少なくとも１つのアプリケーションのための初期ＱｏＳパラメータを備える。加えて、前記ネットワーク装置は前記アクセス端末上の前記少なくとも１つのアプリケーションの開始前に前記アクセス端末との前記少なくとも１つの予約リンクを確立するように動作可能なアクセスネットワークを備え、前記少なくとも１つの予約リンクは前記少なくとも１つのアプリケーションのための前記初期ＱｏＳパラメータを含む。
【００１３】
ここに記載される装置および方法の幾つかの態様では、前記初期ＱｏＳポリシー構成が前記アクセス端末における複数のアプリケーションのための複数の予約リンクと関連づけられてよい。さらに、前記少なくとも１つの予約リンクを確立することは、前記予約を有効または無効にすることをさらに備えてよい。加えて、ここに記載の装置および方法は予約リンク活性化要求を前記アクセス端末から受信したり、前記少なくとも１つの予約リンクを活性化させるべきであることを前記ネットワークによって決定したりすること、およびこれに応答して前記予約を有効にすることをさらに含み得る。前記少なくとも１つの予約リンクを前記有効にすることは、前記アクセス端末から生起されたまたは前記アクセス端末によって終結された呼に基づくことができる。
【００１４】
ここに記載の装置および方法の幾つかの態様では、前記事前構成情報がＱｏＳユーザプロフィールを含む加入者情報を備える。さらに、幾つかの態様では、前記初期ＱｏＳパラメータが前記アクセス端末によって用いられるアクセスネットワークに基づいて前記ＱｏＳユーザプロフィールから取得されてよい。例えば、前記初期ＱｏＳパラメータはベストエフォートトラフィックのための最大許可総帯域幅、各方向についての許可フロープロフィールＩＤ、最高のフロー毎の優先度、許容差別化サービスのマーキング、ベストエフォートのためのユーザ間優先度、ＱｏＳクレーム（例えば、ＱｏＳＦｌｏｗＰｒｏｆｉｌｅＩＤまたはＱｏＳクラスインジケータ（ＱＣＩ））と差別化サービスコードポイント（ＤＳＣＰ）との間におけるマッピング、およびＱｏＳクラスとトークンバケットパラメータとの間におけるマッピングのうちの少なくとも１つを備えてよい。
【００１５】
加えて、幾つかの態様では、前記初期ＱｏＳポリシー構成が前記少なくとも１つのアプリケーションのためのポリシー規則を備え、各ポリシー規則は前記少なくとも１つのアプリケーションのためのフル（ｆｕｌｌ）またはパーシャル（ｐａｒｔｉａｌ）パケットフィルタのうちの１つおよび前記初期ＱｏＳパラメータを備える。
【００１６】
ここに記載の装置および方法の幾つかの態様では、前記初期ＱｏＳポリシー構成を決定することが前記アクセス端末からの入力を受け取ることなく前記ネットワーク上で行われる。換言すると、前記ＱｏＳポリシー決定はネットワーク決定およびネットワーク起動される。
【００１７】
さらに、幾つかの態様では、前記初期ＱｏＳ構成が前記アクセス端末との前記通信リンクを確立した後新規のＱｏＳパラメータによって更新され得る。
【００１８】
上述のおよび関連の目的の達成のために、前記１つ以上の態様が以降に十分記述され請求項で特に指摘される特徴を備える。以下の説明および添付図面は、前記１つ以上の態様のある一定の例示的特徴を詳述するものである。しかしながら、これら特徴は、様々な態様の原理を採用し得る様々な方法のうちの幾つかを示すにすぎず、この記述は、こうした全ての態様およびその同等物を包含することを意図するものである。
【図面の簡単な説明】
【００１９】
開示の態様がこの開示の態様を制限するものではなくこれを説明するために提供される添付図面を併用して以降に記述され、ここでは同様の参照符号が同様の要素を表す。
【図１】ネットワーク起動されるサービス品質（ＱｏＳ）およびポリシー制御によるセッションセットアップのためのシステムの態様の概略図である。
【図２】図１のシステムにおいて利用されるポリシー機能および加入者データベースの態様の概略図である。
【図３】図１のシステムが動作し得るアーキテクチャの一部の態様の概略図である。
【図４】図１のシステムが動作することができるアーキテクチャの一部の態様の概略図である。
【図５】ネットワーク起動されるサービス品質（ＱｏＳ）およびポリシー制御の方法の態様のフローチャートである。
【図６Ａ】ネットワーク起動されるサービス品質（ＱｏＳ）およびポリシー制御の態様のメッセージフローチャートの対応する部分である。
【図６Ｂ】ネットワーク起動されるサービス品質（ＱｏＳ）およびポリシー制御の態様のメッセージフローチャートの対応する部分である。
【図７Ａ】ネットワーク起動されるサービス品質（ＱｏＳ）およびポリシー制御の態様のメッセージフローチャートの対応する部分である。
【図７Ｂ】ネットワーク起動されるサービス品質（ＱｏＳ）およびポリシー制御の態様のメッセージフローチャートの対応する部分である。
【図８】アクセス端末および様々なネットワークエンティティの概略図である。
【発明を実施するための形態】
【００２０】
様々な態様がここで図面を参照して記述される。以下の記述では、説明の目的で、数多くの具体的な詳細が１つ以上の態様の完全な理解を提供するために記載される。こうした態様は、しかしながら、これらの具体的な詳細なしに実施し得ることは明らかであろう。
【００２１】
記述の態様は、アクセス端末によるネットワークとのパケットデータアクセスの確立によってトリガされる通信チャネルでのネットワークＱｏＳパラメータの事前構成（ｐｒｅｃｏｎｆｉｇｕｒａｔｉｏｎ）のための方法と装置とを含む。ネットワーク決定およびネットワーク起動されるＱｏＳパラメータの事前確立は１つ以上の予約リンクを対象とし、これら予約リンクは各々アクセス端末に常駐する対応する１つ以上のアプリケーションに関連する。さらに、パケットデータアクセスの確立に基づいて確立されるＱｏＳパラメータは、ネットワークに格納され所定のアクセスシナリオに対して適用されるＱｏＳ関連情報に基づく。さらに、確立後、これら１つ以上の予約リンクを、ネットワークまたはアクセス端末のどちらかによって有効または無効にし得る。従って、記述の態様は、アクセス端末上の対応アプリケーションが開始された時点で呼をセットアップする効率を向上させる。
【００２２】
図１を参照すると、一態様において、ネットワーク起動されるサービス品質（ＱｏＳ）およびポリシー制御によるセッションセットアップのためのシステム１０が、アクセスネットワーク（ＡＮ）１６およびアクセスゲートウェイ（ＡＧＷ）１８を介してコアネットワーク１４と通信可能なアクセス端末（ＡＴ）１２を含む。ＡＴ１２は静止型または移動型であってよく、また移動局、端末、加入者ユニット、加入者局、等と呼ぶこともできる。ＡＴ１２は、携帯電話、パーソナルデジタルアシスタント（ＰＤＡ）、無線デバイス、無線モデム、ラップトップコンピュータ、テレメトリデバイス、追跡デバイス、等であってよい。さらに、ＡＴ１２は、ＡＮ１６における１つ以上の基地局および／または１つ以上のアクセスポイントと通信し得る。ＡＮ１６は、そのカバレッジエリア内に配置された複数のＡＴのために無線通信を提供する。ＡＮ１６は、無線ネットワーク、無線アクセスネットワーク、等と呼ぶこともできる。ＡＮ１６は、以下に記述されるように、基地局、アクセスポイント、ネットワークコントローラ、および／またはその他のエンティティを含み得る。ＡＧＷ１８は、システム１００内における通信パケットの適切なルーティング、およびネットワーク間におけるＱｏＳおよびポリシー制御の実施を確保するネットワークエンティティである。
【００２３】
システム１０は、ＡＴ１２、ＡＮ１６、およびコアネットワーク１４間の通信セッションにおいて利用される１つ以上のアプリケーションまたはサービスのための初期ＱｏＳポリシー構成２２を予め確立するように動作可能なポリシー機能２０をさらに含む。特に、ポリシー機能２０は、ＡＴ１２からのパケットデータセッションの確立要求を受信しているＡＮ１６に基づき、ＡＴ１２上の対応アプリケーションまたはサービスの初期化に先立って初期ＱｏＳポリシー構成２２をセットアップするように動作可能である。具体的には、パケットデータセッションの確立によってまたはこれに基づいてトリガされて、ポリシー機能２０は初期ＱｏＳポリシー構成２２を決定するように動作可能である。例えば、初期ＱｏＳポリシー構成２２はこの少なくとも１つのアプリケーションのためのポリシー規則を含み得るがこれに制限されず、各ポリシー規則はこの少なくとも１つのアプリケーションのための初期ＱｏＳパラメータおよび全部または一部のパケットフィルタの少なくとも１つを含む。具体的には、少なくとも１つの予約リンク、例えばＱｏＳパイプ、が少なくとも１つのアプリケーションのために予め確立される。各予約リンクは、確立された場合でも、制御可能な形で有効または無効にすること、例えば活性化させたり活性化させなかったりできる。従って、通信チャネルまたは単一の論理パイプがＡＴ１２およびＡＮ１６間の通信に対処するために１つ以上の論理ＱｏＳパイプまたは予約リンクについて確立され得る。従って、システム１００は、有利なことに、ネットワークによって決定されおよびネットワーク起動される初期ＱｏＳポリシー構成２２の予確立に基づき、いったん初期化された時点で該当アプリケーションまたはサービスのための呼のセットアップを軽減することができ、および、さらに有利なことに、ＡＴ１２、ＡＴのユーザ、および／またはＡＮ１６またはコアネットワーク１４に固有の該当するＱｏＳパラメータを最初に適用することができる。
【００２４】
例えば、図２を参照すると、一態様では、ポリシー機能２０が加入者情報２６および／またはネットワーク情報２８に基づいて初期ＱｏＳポリシー構成２２を生成するように動作可能なポリシー決定モジュール２４を含む。ポリシー決定モジュール２４は、初期ＱｏＳポリシー構成２２を生成するために該当加入者情報２６および／またはネットワーク情報２８に対して関数、アルゴリズム、規則、発見的解決法（ｈｅｕｒｉｓｔｉｃ）、等を適用するように動作可能なハードウェア、ソフトウェア、ファームウェア、実行可能な命令、等を含み得る。さらに、初期ＱｏＳポリシー構成２２は、ＡＴ１２と対応するネットワーク構成要素、例えばＡＮ１６、ＡＧＷ１８および／またはコアネットワーク１４のうちの１つ以上の所定の組み合わせに固有であってよい。さらに、システム１００において、ポリシー機能２０は、ＱｏＳの差別化されたＩＰサービス（例えば、ＶｏＩＰおよびその他のデータサービス）が定義されて、例えばＡＴ１２とＡＴ１６との間の通信リンクのようなエアインタフェースの範囲内で独立に特定されるようにできる。システム１００において、エアインタフェースは、例えば複数の予約リンクである複数のＩＰフローをサポートできる。さらに、各ＩＰフローは単一の予約リンク上にマッピングされ得る。従って、初期ＱｏＳポリシー構成２２は１つ以上のＩＰフローに対応する１つ以上の予約リンクに適用することができ、この１つ以上のＩＰフローはＡＴ１２上の所定アプリケーションに関連し得る。さらに、ポリシー機能２０は、初期ＱｏＳポリシー構成２２を定義するＡＮに固有の規則やパラメータに初期情報や規則を変換できる。従って、初期ＱｏＳポリシー構成２２は、ＡＴ、アクセスネットワーク、およびＡＴ上の所定アプリケーションの特定の組み合わせに固有であり得る。
【００２５】
さらに、例えば、加入者情報２６および／またはネットワーク情報２８はＩＰフローへの１つ以上のＱｏＳパラメータを決定することに関連する情報である。例えば、ネットワーク情報２８はＡＮ１６および／またはコアネットワーク１４に対応するＱｏＳ関連のパラメータや特徴、例えば帯域幅、遅延要求、処理上の優先度、サービスクラス、および損失要求を含み得る。さらに、例えば、加入者情報２６はネットワーク上において加入者データベース３２から得ることができる加入者プロフィール３０の全体または一部を含み得る。加入者データベース３２はネットワークへの各加入者毎に加入者プロフィール３０を維持することができる。さらに、加入者プロフィール３０は該当ＡＴにおいて動作可能な１つ以上のアプリケーション３６に関して、ＱｏＳユーザプロフィール３４とも呼ばれるＡＴ固有の能力および／または許容範囲（ａｌｌｏｗａｎｃｅ）を定義するパラメータを含み得る。例えば、アプリケーション３６は、限定されるものでないが、ボイスオーバーインターネットプロトコル（ＶｏＩＰ）アプリケーションおよびインターネットプロトコルマルチメディアサブシステム（ＩＭＳ）アプリケーションのようなアプリケーションを含み得る。さらに、例えば、ＱｏＳユーザプロフィール３４は、限定されるものでないが、パラメータ、例えば、ベストエフォートトラフィックのための最大の許可総帯域幅、各方向のための許可フロープロフィールＩＤ、フローごとの最高優先度、許容差別化サービスのマーキング、ベストエフォートのためのユーザ間優先度、ＱｏＳクラス（例えば、ＱｏｓＦｌｏｗＰｒｏｆｉｌｅＩＤまたはＱｏＳクラスインジケータ（ＱＣＩ））と差別化サービスコードポイント（ＤＳＣＰ）との間におけるマッピング、およびＱｏＳクレーム（例えば、ＱｏｓＦｌｏｗＰｒｏｆｉｌｅＩＤまたはＱＣＩ）と、例えば限定されるものでないが、ピークレート、バケットサイズ、トークンレート、最大レーテンシー等を含むトークンバケットパラメータのようなポリシー規則との間におけるマッピングを含み得る。さらに、他の関連するＱｏＳの特徴をここにおいて開示される態様により実現できる。
【００２６】
従って、初期ＱｏＳポリシー構成２２は、加入者情報２６および／またはネットワーク情報２８から得られた静的規則、この情報から導き出されたパラメータ、または両方の組み合わせを含み得ることが理解されるべきである。ポリシー決定モジュール２４は、ＡＴ１２上における１つ以上のアプリケーションのためのＱｏＳ予約を予め確立するために、加入者情報２６および／またはネットワーク情報２８を入手し、何が許容され何が実現可能であるかを決定し、該決定に基づいてアクセスネットワーク固有の規則および／またはポリシーを生成するように動作可能である。ＱｏＳ予約は確立可能であるが、ＡＴ１２上の該当アプリケーションの開始まで“無効”にする、換言すると活性化させないことができ、該開始時点で予約を“有効”にすることができる。従って、ＡＧＷ１８は、活性化されたＱｏＳ予約と関連づけられたＡＴ１２とＡＮ１６および／またはコアネットワーク１４の間での通信のためにＱｏＳポリシーを実行する。
【００２７】
図３および４を参照すると、記載の装置および方法を実現するように動作可能な一例のセルラー通信システム１００は各々対応基地局１６０Ａ乃至１６０Ｇを含む１つ以上のセル１２０Ａ乃至１０２Ｇを含み、ここにおいて１つ以上のアクセス端末（ＡＴ）１０６Ａ乃至１０６Ｇはこれら相互に、有線電話に、またはインターネットのようなパケットベースのネットワークである他のネットワーク１０４に接続するために該当セル１０２内において該当基地局１６０と通信し得る。通信システムは、単搬送波周波数および多搬送波周波数を用いることができる。無線通信システムにおいて、チャネルは該当基地局１６０から該当ＡＴ１６０への送信のための順方向リンク（ＦＬ）および該当ＡＴ１６０から該当基地局１６０への送信のための逆方向リンク（ＲＬ）から成る。各リンクは異なる数の搬送波周波数を組み込み得る。さらに、チャネルは所定の周波数割り当て内におけるＡＮ１２０とＡＴ１０６との間の送信のための複数の通信リンクの組として定義される。
【００２８】
システム１００は、例えばＨＤＲ規格において規定されるような高データレートＨＤＲオーバーレイシステムを有する符号分割多元接続（ＣＤＭＡ）システムであってよい。ＨＤＲシステムでは、ＨＤＲ基地局１６０がアクセスポイント（ＡＰ）またはモデムプールトランシーバ（ＭＰＴ）として記載されてもよい。ＨＤＲ加入者局１０６は、ここではアクセス端末と呼ばれ、モデルプールトランシーバ（ＭＰＴ）とも呼ばれる１つ以上のＨＤＲ基地局１６０と通信し得る。アクセス端末１０６は、エアインタフェース経由で、モデムプールコントローラ１３０（ＭＰＣ）とも呼ばれるＨＤＲ基地局コントローラ１３０（図４）に対する１つ以上のモデムプールトランシーバ１６０を介してデータパケットを送信し受信する。モデムプールトランシーバ１６０およびモデムプールコントローラ１３０はＡＮ１２０の一部である。ＡＮ１２０は、各々少なくとも１つのチャネルを提供する複数のセクターを含み得る。ＡＮ１２０は、コーポレートイントラネットやインターネットのようなＡＮ１２０外の付加的なネットワーク１０４にさらに接続されて、各ＡＴ１０６と該外部ネットワーク１０４との間においてデータパケットを搬送し得る。
【００２９】
より具体的に図４を参照すると、基地局コントローラ１３０はネットワーク１０４と地理上の地域全体に分散された全基地局１６０との間におけるインタフェースを提供するために使用可能である。説明を容易にするために、１つの基地局１６０のみが示される。地理上の地域は、一般にセル１０２と呼ばれるより小さい地域に細分される。各基地局１６０は該当セル内の全ＡＴ１０６に仕えるように構成される。幾つかの高トラフィックアプリケーションにおいて、セル１０２は複数のセクターに分割され、基地局１６０は各セクターに仕えるようにしてよい。記載例の実施形態では、３つのＡＴ１０６Ａ乃至Ｃが基地局１６０と通信しているように示される。各ＡＴ１０６Ａ乃至Ｃは、基地局コントローラ１３０の制御下で基地局１６０のうちの１つを介してネットワーク１０４にアクセスしたりその他のＡＴ１０６と通信したりしてよい。
【００３０】
動作において、上述の装置は、ネットワーク起動されるＱｏＳおよびポリシー制御によってセッションセットアップを最適化するように動作可能である。先行技術では、ＱｏＳが通信エンドポイント間における１往復のシグナリング交換後にセットアップされる。このような交換は、不要な呼セットアップ遅れおよび不快なユーザ経験をもたらし得る。本方法および装置は、ネットワーク起動されるＱｏＳおよびポリシー制御で事前にＱｏＳをセットアップするように動作する。ＱｏＳの事前セットアップは、セッションセットアップステップ数の減少をもたらし、例えばＶｏＩＰまたはマルチメディア呼である呼に対してかなり短い呼セットアップ時間をユーザに経験させる結果になる。さらに、事前セットアップは、実際のセッションがセットアップされるときに要求されるステップ数を減少させるために役立ち、それゆえ呼セットアップ遅延を大幅に短縮する。
【００３１】
図５を参照すると、一態様において、アクセス端末のためのサービス品質（ＱｏＳ）を構成するためにネットワークによって動作可能な方法５００はネットワークでアクセス端末からのパケットデータアクセス要求を受信することを含む（ブロック５０２）。例えば、パケットデータアクセス要求は、アクセス端末とアクセスネットワークとの間におけるパケットデータセッションの確立の一部であり得る。
【００３２】
該方法は、ネットワークによっておよびパケットデータアクセスの確立に基づいてアクセス端末上の少なくとも１つのアプリケーションに対応する少なくとも１つの予約リンクのための初期ＱｏＳポリシー構成を決定することをさらに含み、ここにおいて初期ＱｏＳポリシー構成は事前構成情報に基づくもので、少なくとも１つのアプリケーションのための初期ＱｏＳパラメータを備える（ブロック５０４）。換言すると、ネットワークはアクセス端末によるネットワークとのパケットデータアクセスの確立に基づいて予めＱｏＳをセットアップするためにトリガされる。アクセス端末は、初期ＱｏＳポリシー構成の決定においてネットワークに対して何の入力も提供せず、その決定はネットワークに基づくもので、ネットワークでの事前構成情報に従う。また、事前構成情報は、ＱｏＳに関連するパラメータを両方とも有しネットワーク内で両方とも入手可能である加入者情報および／またはネットワーク情報を含む。例えば、ネットワークは、アクセス端末による通信リンクの開始が通知されることに伴い、アクセス端末に対応する加入者情報および／または該当アクセスネットワークに対応するネットワーク情報を取得するように動作可能であって、各組の情報は関連のＱｏＳパラメータを含む。例えば、加入者情報は、アクセス端末に常駐する１つ以上のアプリケーションについてＱｏＳユーザプロフィールを有する加入者データベースから取得し得る。さらに、ポリシー機能は、加入者情報および／またはネットワーク情報を解析し、いずれのＱｏＳパラメータが受け入れ可能であるかをアクセス端末のＱｏＳ希望および／または要求およびネットワークの能力に基づいて決定し、初期ＱｏＳポリシー構成を生成するように動作可能なポリシー決定モジュールを含み得る。初期ＱｏＳポリシー構成は、アクセス端末とアクセスネットワークとの特性の所定の組み合わせに固有であり得る。さらに、初期ＱｏＳポリシー構成は、ＱｏＳユーザプロフィール内に存在するような静的ＱｏＳ規則、および利用中の特定のアクセスネットワークに適用されたＱｏＳユーザプロフィール内の規則やパラメータの何らかの関数であるような導出ＱｏＳ規則であり得る１つ以上のＱｏＳ規則を含み得る。
【００３３】
加えて、該方法は、アクセス端末上の少なくとも１つのアプリケーションの開始前に、アクセス端末との少なくとも１つの予約リンクを確立することをさらに備え、ここにおいて少なくとも１つの予約リンクは少なくとも１つのアプリケーションのための初期ＱｏＳパラメータを含む（ブロック５０６）。従って、初期ＱｏＳパラメータで予約リンクを予めセットアップすることによって、アクセス端末上のアプリケーションが呼び出される時点で、予約リンクおよびＱｏＳパラメータが既に確立されていることになり、これにより、該アプリケーションのための呼セットアップ時間を短縮する。
【００３４】
オプションで、該方法は予約を有効または無効にすることをさらに含み得る（ブロック５０８）。例えば、通信フローのための予約は、アクセス端末上の対応アプリケーションの呼び出し等による通信リンクの初期確立時または初期確立後に有効または無効にできる。さらに、予約を無効にしたり予約を無効状態に保持したりすることは、リンクに関連づけてＱｏＳパラメータを維持し、ＱｏＳパラメータが関連づけられた特定の通信フローのために無線ネットワーク資源を用いないことを含む。他方、予約を有効にしたり予約を有効状態に保持したりすることは、該当通信フローのための対応するアプリケーションとアクセスネットワークとの間における通信を管理するためにＱｏＳパラメータを無線ネットワーク資源に適用することを含む。
【００３５】
加えて、図６Ａ、６Ｂ、７Ａおよび７Ｂを参照すると、ウルトラモバイルブロードバンド（ＵＭＢ）ネットワークにおける具体例の態様が上述の方法を実行するための該当メッセージフローを含む。しかしながら、記載の態様はＵＭＢシステムアーキテクチャに限定されず、例えば３ＧＰＰ、３ＧＰＰ２、ロングタームエボリューション（ＬＴＥ）、ＷＣＤＭＡ、有線ネットワーク等であってこれらに限定されない任意のシステムアーキテクチャに対して適用可能であることが理解されるべきである。さらに、図６Ａ、６Ｂ、７Ａおよび７Ｂにおいて、サービング(serving)ＡＮ１６は、サービング拡張基地局（Ｓ−ｅＢＳ）、データアクセスポイント（ＤＡＰ）、およびシグナリング無線ネットワークコントローラ（ＳＲＮＣ）を含む。加えて、ポリシー機能２０は、認証および許可（ＡＡＡ）サーバ、並びにポリシーおよび課金規則機能（ＰＣＲＦ）を含む。コアネットワーク１４はＩＰマルチメディアサブシステム（ＩＭＳ）ネットワーク、並びに例えば呼状態制御機能（ＣＳＣＦ）のような様々な構成要素を含む。加えて、ネットワークアーキテクチャはＡＴ１２から開始またはＡＴ１２で終了する通信の他方のエンドポイントである対応ノード（ＣＮ）１５を含む。
【００３６】
図６Ａおよび６Ｂを参照すると、ＡＴ接続用のＩＭＳアプリケーションおよびＶｏＩＰアプリケーションの両方のためのＱｏＳをネットワークによって事前構成するための手続き（ステップ４乃至１０）におけるメッセージフローの一態様は、以下のステップおよびアクションを含む。
【００３７】
１−３．  ＡＴが、成功裏のアクセス認証および許可を行う。アクセス認証および許可手続き中に、ＱｏＳユーザプロフィールがＳＲＮＣに送信する。ＳＲＮＣが、ＱｏＳユーザプロフィールをセッション情報としてｅＢＳに送信する。ＤＡＰおよびＡＧＷ間のトンネルが確立される。ＩＰアドレスも割り当てられる。
【００３８】
４．動的ポリシーおよび課金制御（ＰＣＣ）がサポートされるため、ＡＧＷはＩＰアドレス割り当て後にＰＣＲＦとのポリシー制御セッション（Ｔｙセッション）を確立するためのクレジット管理要求（ＣＣＲ）を送信する。
【００３９】
５．ＰＣＲＦはクレジット管理応答（ＣＣＡ）によってＣＣＲ要求に肯定応答し、デフォルト規則を有する静的ポリシーをこの肯定応答に含ませ得る。デフォルト規則は初期ＱｏＳパラメータを有する初期ＱｏＳポリシー構成を含む。さらに、ポリシー機能２０はＱｏＳユーザプロフィールから、さらにアクセスネットワークに基づいて、初期ＱｏＳポリシー構成を導き出し得る。
【００４０】
６．−７．ＡＧＷは、初期ＱｏＳポリシー構成を含む全ての関連ポリシーおよび課金制御（ＰＣＣ）情報をＡＮ（またはこの場合はＤＡＰ）にプッシュし、ＡＮからの確認応答を受信する。
【００４１】
８．初期ＱｏＳポリシー構成を含むＰＣＣ情報に基づき、ＡＮは一定のアプリケーション（例えばＳＩＰシグナリング）のためにＱｏＳをセットアップすることを必要とし得る。ＡＮは初期ＱｏＳポリシー構成に対応する１つ以上の該当アプリケーションのための通信フロー、例えば予約リンク、に対応するＲｅｓｅｒｖａｔｉｏｎＫＫＱｏＳ要求およびトラフィックフローテンプレート（ＴＦＴ）を含む構成要求をＡＴに送信する。
【００４２】
９．ＡＴは構成応答メッセージをＡＮに送信する。
【００４３】
１０．ＡＮは構成完了メッセージをＡＴに送信する。
【００４４】
１１．ＡＴおよび全てのＡＮエンティティ（ｅＢＳ、ＤＡＰ、ＳＲＮＣ）が、コンテキスト更新手続きを用いて、初期ＱｏＳポリシー構成を含む最新のＰＣＣ情報で更新される。
【００４５】
１２．−１３．ＩＭＳアプリケーションがイネーブルにされた後に、ＡＴがＩＭＳネットワークへの登録を行う。
【００４６】
１４．−１５．ユーザがアプリケーション（例えばＶｏＩＰ）を呼び出したときに、ＡＴがそのアプリケーションに基づいてセッション記述プロトコル（ＳＤＰ）情報を有するＩＮＶＩＴＥメッセージを意図する宛先、例えばＣＮ１５、に送信する。アプリケーションは、ＱｏＳを認識しておらず、従ってネットワークが適切なＱｏＳをセットアップすると仮定し、ＩＮＶＩＴＥ内においてＱｏＳ資源利用可能性情報を示さない。この例は、ＡＴで開始される事例を対象とするが、ＡＴで終了される事例も検討されており、その場合は、メッセージの方向が反対になる。
【００４７】
１６．−１７．対応ノードは例えば信頼できる１８０リンギング暫定応答でＳＩＰ  ＩＮＶＩＴＥメッセージに返答する。この応答は、ＣＮからのＳＤＰ応答を含む。
【００４８】
１８．１８０リンギング応答の受信に伴い、Ｐ−ＣＳＣＦはＰＣＲＦに対してアプリケーション情報を通信するためにＴｘ手続きに基づいて認証および許可要求（ＡＡＲ）をＰＣＲＦに送信する。
【００４９】
１９．ＰＣＲＦはセッションバインディング（ｂｉｎｄｉｎｇ）を行い、ステップ４において確立された対応ＴｙセッションにＴｘセッションを相関させる。
【００５０】
２０．ＰＣＲＦはアプリケーションのために必要なＱｏＳを許可し、Ｔｙ手続きに基づいて関連ＰＣＣ規則をＡＧＷに送信する。
【００５１】
２１．−２２．ＡＧＷはてのＰＣＣ規則をＡＮに転送する。
【００５２】
２３．−２４．ＡＧＷはＰＣＲＦから受信されたＰＣＣ規則に肯定応答し、ＰＣＲＦはＰ−ＣＳＣＦから受信されたアプリケーション情報に肯定応答する。
【００５３】
２５．ＡＴおよび全てのＡＮエンティティ（ｅＢＳ、ＤＡＰ、ＳＲＮＣ）はコンテキスト更新手続きを用いて最新のＰＣＣ情報によって更新される。従って、このステップは、適用できる場合に初期ＱｏＳポリシー構成を新しいＱｏＳパラメータで更新することを含む。
【００５４】
２６．ＡＮは認められたＱｏＳを含む予約ＯＮ要求をＡＴに送信する。このため、この時点では、初期ＱｏＳポリシー構成で通信フローの予約が行われていたが、アクティブではなかった。このため、ＡＮは予約を活性化している。
【００５５】
２７．ＡＴはＦｏｒＲｅｓｅｒｖａｔｉｏｎＡｃｋ／ＲｅｖＲｅｓｅｒｖａｔｉｏｎＡｃｃｅｐｔメッセージをＡＮに送信する。
【００５６】
２８．現時点でアプリケーションメディア（例えば音声）のためのゲートが開いており、ＡＧＷによって管理されるＱｏＳポリシーおよび規則の対象となる。
【００５７】
２９．−３０．ステップ１８乃至２８と並行して、ＡＴはＣＮからの信頼できる応答に対して肯定応答する。呼ばれたユーザは、このＡＴからの着信呼に対する注意が促される。
【００５８】
３１．−３４．呼ばれたユーザがその呼に最終的に応答する。ＣＮは２００ＯＫメッセージを送信し、肯定応答（ＡＣＫ）メッセージをＡＴから受信する。セッションがここで確立される。
【００５９】
図７Ａおよび７Ｂを参照すると、ＡＴ接続用にネットワークによってサービス品質を開始するための手続きにおけるメッセージフローの一態様が次のステップおよびアクションを含む。図７Ａおよび７Ｂの態様では、ＩＭＳアプリケーションのためのＱｏＳが事前構成され（ステップ４乃至１０）、ＶｏＩＰアプリケーションのＱｏＳがのちに構成される（ステップ２６乃至２８）。さらに、上記の図６Ａおよび６Ｂにおけるステップの記載は、順序が異なることがあるが、図７Ａおよび７Ｂの対応するステップにも関連し得る。
【００６０】
１．−３．ＡＴは、成功裏にアクセス認証および許可を行う。アクセス認証および許可手続き中に、ＱｏＳユーザプロフィールがＳＲＮＣに送信される。ＳＲＮＣはＱｏＳユーザプロフィールをセッション情報としてｅＢＳに送信する。ＤＡＰおよぴＡＧＷ間のトンネルが確立される。ＩＰアドレスも割り当てられる。
【００６１】
４．ＳＢＢＣがサポートされるため、ＡＧＷはＩＰアドレス割り当て後にＰＣＲＦとのポリシー制御セッション（Ｔｙセッション）を確立するためにＣＣＲ要求を送信する。
【００６２】
５．ＰＣＲＦはＣＣＡによってＣＣＲ要求に肯定応答し、デフォルト規則を有する静的ポリシーをこの肯定応答に含ませ得る。これらのデフォルト規則は、以下において説明されるように、ＳＩＰセットアップに関連する初期ＱｏＳポリシー構成および初期ＱｏＳパラメータのみを含むことができ、ＶｏＩＰパラメータはのちに構成される。
【００６３】
６．−７．ＡＧＷは、全ての関連ＰＣＣ情報をＡＮ（この場合はＤＡＰ）にプッシュし、ＡＮからの応答を受信する。
【００６４】
８．ＰＣＣ規則に基づき、ＡＮは一定のアプリケーション（例えばＳＩＰシグナリング）のためのＱｏＳをセットアップすることを必要とし得る。ＡＮはＲｅｓｅｒｖａｔｉｏｎＫＫＱｏＳ要求およびＴＦＴを含む構成要求をＡＴに送信する。
【００６５】
９．ＡＴは構成応答をＡＮに送信する。
【００６６】
１０．ＡＮは構成完了をＡＴに送信する。
【００６７】
１１．ＡＴおよび全てのＡＮエンティティ（ｅＢＳ、ＤＡＰ、ＳＲＮＣ）が、コンテキスト更新手続きを用いて、最新のＰＣＣで更新される。
【００６８】
１２．ＡＮは、認められたＱｏＳを含む予約ＯＮ要求をＡＴに送信する。
【００６９】
１３．ＡＴはＦｏｒＲｅｓｅｒｖａｔｉｏｎＡｃｋ／ＲｅｖＲｅｓｅｒｖａｔｉｏｎＡｃｃｅｐｔをＡＮに送信する。
【００７０】
１４．現時点でアプリケーション（例えばＳＩＰシグナリング）のためのゲートが開いている。
【００７１】
１５．−１６．ＩＭＳアプリケーションがイネーブルにされた後に、ＡＴがＩＭＳネットワークへの登録を行う。
【００７２】
１７．ユーザがアプリケーション（例えばＶｏＩＰ）を呼び出したときに、ＡＴがそのアプリケーションに基づいてＩＮＶＩＴＥをＳＤＰ情報とともに意図する宛先に送信する。アプリケーションは、ＱｏＳを認識しておらず、従ってネットワークが適切なＱｏＳをセットアップすると仮定し、ＩＮＶＩＴＥ内においてＱｏＳ資源利用可能性情報を示さない。この場合、初期ＱｏＳポリシー構成はＶｏＩＰアプリケーションに関連する初期ＱｏＳパラメータを含んでいなかったため、完全なセットアップが開始される。
【００７３】
１８．対応ノードは信頼できる１８０リンギング暫定応答でＳＩＰ  ＩＮＶＩＴＥメッセージに返答する。この応答は、ＣＮからのＳＤＰ応答を含む。
【００７４】
１９．１８０リンギング応答の受信に伴い、Ｐ−ＣＳＣＦはＰＣＲＦに対してアプリケーション情報を通信するためにＴｘ手続きに基づいてＡＡＲをＰＣＲＦに送信する。
【００７５】
２０．ＰＣＲＦはセッションバインディングを行い、ステップ４において確立された対応ＴｙセッションにＴｘセッションを相関させる。
【００７６】
２１．ＰＣＲＦはアプリケーションのために必要なＱｏＳを許可し、Ｔｙ手続きに基づいて関連ＰＣＣ規則をＡＧＷに送信する。
【００７７】
２２．−２３．ＡＧＷが全てのＰＣＣ規則をＡＮに転送する。
【００７８】
２４．−２５．ＡＧＷはＰＣＲＦから受信されたＰＣＣ規則に肯定応答し、ＰＣＲＦはＰ−ＣＳＣＦから受信されたアプリケーション情報に肯定応答する。
【００７９】
２６．ＡＮはＲｅｓｅｒｖａｔｉｏｎＫＫＱｏＳ要求およびＴＦＴを含む構成要求をＡＴに送信する。
【００８０】
２７．ＡＴは構成応答をＡＮに送信する。
【００８１】
２８．ＡＮは構成完了をＡＴに送信する。
【００８２】
２９．ＡＴおよび全てのＡＮエンティティ（ｅＢＳ、ＤＡＰ、ＳＲＮＣ）が、コンテキスト更新手続きを用いて最新のＰＣＣ情報によって更新される。
【００８３】
３０．ＡＮは認められたＱｏＳを含む予約ＯＮ要求をＡＴに送信する。
【００８４】
３１．ＡＴはＦｏｒＲｅｓｅｒｖａｔｉｏｎＡｃｋ／ＲｅｖＲｅｓｅｒｖａｔｉｏｎＡｃｃｅｐｔをＡＮに送信する。
【００８５】
３２．現時点でアプリケーションメディア（例えば音声）のためのゲートが開いている。
【００８６】
３３．−３４．ステップ１９乃至３２と並行して、ＡＴが、ＣＮからの信頼できる応答に対して肯定応答する。呼ばれたユーザは、このＡＴからの着信呼に対する注意が促される。
【００８７】
３５．−３６．呼ばれたユーザがその呼に最終的に応答する。ＣＮは２００ＯＫを送信し、ＡＴからＡＣＫを受信する。セッションがここで確立される。
【００８８】
幾つかの態様では、ステップ１９乃至３２がステップ１７および１８と並行して行われる。
【００８９】
幾つかの態様では、ステップ６乃至１４においてＱｏＳが事前セットアップされ、アプリケーションが呼び出されたときに、これにより手続きを短縮する。
【００９０】
幾つかの態様では、ステップ１１において、全ての新しい規則がネットワークアクセスエンティティに対して更新される。
【００９１】
幾つかの態様は、オファー／応答が完了される前にネットワークポリシーのプッシュ（ｐｕｓｈ）およびネットワークポリシーのセットアップを開始するための方法および装置を含む。
【００９２】
幾つかの態様は、オファー／応答が完了された後にネットワークポリシーのプッシュおよびネットワークポリシーのセットアップを開始するための方法および装置を含む。
【００９３】
幾つかの態様は、オファー／応答が開始側および終了側の両方において完了される前にネットワークポリシーのプッシュおよびネットワークポリシーのセットアップを開始するための方法および装置を含む。
【００９４】
幾つかの態様は、オファー／応答が開始側および終了側の両方において完了された後にネットワークポリシーのプッシュおよびネットワークポリシーのセットアップを開始するための方法および装置を含む。
【００９５】
幾つかの態様は、開始側および終了側の両方においてリアルタイムアプリケーションのためにネットワーク起動されるＱｏＳを事前にセットアップするための方法および装置を含む。
【００９６】
さらに、図８を参照すると、ネットワークの構成要素の一例は、ＡＴ１２、アクセスネットワーク１６、ＡＧＷ１８、ポリシー機能２０、およびこれらの構成要素を含む。説明を単純化するために、図８は、各エンティティ毎に１つのコントローラ／プロセッサ、１つの送信機／受信機（ＴＭＴＲ／ＲＣＶＲ）、および１つのメモリを含む。一般に、各エンティティは、任意数のコントローラ、プロセッサ、メモリ、送信機、受信機、通信ユニット等を含む。さらに、ここに記載の機能は、各構成要素の該当コントローラ／プロセッサによって、例えばコンピュータによって読み取り可能な命令を実行することによって実現し得る。このような命令は、該当メモリに格納されたり、該当プロセッサ内の１つ以上のモジュールにおいて実現されたりし得る。
【００９７】
ダウンリンクにおいて、アクセスネットワーク１６における複数の基地局は、それらのカバレッジエリア内の複数のＡＴに対して、トラフィックデータ、メッセージ／シグナリング、およびパイロットを送信する。これら様々なタイプのデータはプロセッサ８２０によって処理され、これらＡＴに送信されるダウンリンク信号を生成するために送信機８２４によってコンディショニングされる。ＡＴ１２では、基地局からのダウンリンク信号がアンテナを介して受信され、受信機８１４によってコンディショニングされ、登録、呼確立、等のための情報を取得するためにプロセッサ８１０によって処理される。プロセッサ８１０は、上述のようにＡＴ１２のための処理を行い得る。メモリ８１２および８２２は、それぞれＡＴ１２およびアクセスネットワーク１１６のためのプログラムコードおよびデータを、ここに記載の機能を行うために格納する。
【００９８】
アップリンクにおいて、ＡＴ１２は、アクセスネットワーク１６内の基地局に対してトラフィックデータ、メッセージ／シグナリング、およびパイロットを送信し得る。これら様々なタイプのデータは、プロセッサ８１０によって処理され、ＡＴアンテナを介して送信されるアップリンク信号を生成するために送信機８１４によってコンディショニングされる。アクセスネットワーク１６では、ＡＴ１２およびその他のＡＴからのアップリンク信号が受信機８２４によって受信されてコンディショニングされ、例えばデータ、メッセージ／シグナリング等である様々なタイプの情報を取得するためにプロセッサ８２０によってさらに処理される。アクセスネットワーク１６は、送信機／受信機８２４を介してその他のネットワークエンティティと通信し得る。
【００９９】
ＡＧＷ１８内において、プロセッサ８３０は、ＡＧＷのための処理を行い、メモリ８３２は、ＡＧＷのためのプログラムコードおよびデータを格納し、送信機／受信機８３４はＡＧＷがその他のエンティティと通信することを許す。プロセッサ８３０は、上述されるようにＡＧＷのための処理を行い得る。
【０１００】
ポリシー機能２０内において、プロセッサ８４０は、ポリシー機能のための処理を行い、メモリ８４２は、ポリシー機能のためのプログラムコードおよびデータを格納し、送信機／受信機８４４はポリシー機能がその他のエンティティと通信すること許す。プロセッサ８４０は、上述のようにポリシー機能２０のための処理を行い得る。
【０１０１】
この出願において用いられる“構成要素”、“モジュール”、“システム”等の用語は、限定されるものではないが、例えばハードウェア、ファームウェア、ハードウェアとソフトウェアの組み合わせ、ソフトウェア、または実行中のソフトウェアのようなコンピュータ関連エンティティを含むことが意図される。構成要素は、限定されるものではないが、例えばプロセッサにおいて稼動中のプロセス、プロセッサ、オブジェクト、エクセキュータブル（ｅｘｅｃｕｔａｂｌｅ）、実行スレッド、プログラム、および／またはコンピュータであってよい。一例として、計算デバイスにおいて稼動中のアプリケーションおよびその計算デバイスの両方が構成要素であることができる。プロセスおよび／または実行スレッド内には１つ以上の構成要素が常駐でき、構成要素は１つのコンピュータ上に局在化されるおよび／または２つ以上のコンピュータ間で分散され得る。さらに、これら構成要素は、媒体上に格納した様々なデータ構造を持つ様々なコンピュータ読み取り可能媒体から実行可能である。これら構成要素は、ローカルおよび／または遠隔プロセスによって、例えば１つ以上のデータパケット、例えば、ローカルシステムまたは分散型システム内の他の構成要素と対話中の、および／またはインターネット等のネットワークを通じて信号を用いてその他のシステムと対話中の構成要素からのデータを有する信号に従って通信し得る。
【０１０２】
さらに、ここでは様々な実施形態が有線端末または無線端末であり得る端末に関連して記載されている。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ装置（ＵＥ）と呼んでもよい。無線端末は、携帯電話、衛星電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、または無線モデムに接続されたその他の処理デバイスであり得る。さらに、ここでは様々な実施形態が基地局に関連して記載される。基地局は、無線端末との通信に利用できるもので、アクセスポイント、ノードＢ、またはその他の用語で呼んでもよい。
【０１０３】
さらに、表現“または”は、排他的“または”ではなく包含的“または”を意味することが意図される。すなわち、その他の規定がない限り、または文脈から明らかでない限り、“Ｘは、ＡまたはＢを採用する”という句は、自然の包含的置換のうちのいずれかを意味することが意図される。すなわち、“Ｘは、ＡまたはＢを採用する”という句は、以下の事例のうちのいずれよっても満たされる。すなわち、ＸがＡを採用する、ＸがＢを採用する、またはＸがＡおよびＢの両方を採用する。さらに、この出願および添付される請求項において用いられる冠詞“ａ（１つの）”または“ａｎ（１つの）”は、概して、その他の規定がない限りまたは単数形であることが示されることが文脈から明らかでない限り、“１つ以上”を意味すると解釈されるべきである。
【０１０４】
ここに記載の技法は、例えば、ＣＤＭＡ、ＴＤＭＡ、ＦＤＭＡ、ＯＦＤＭＡ、ＳＣ−ＦＤＭＡ、およびその他のシステム等のような様々な無線通信システムに用い得る。用語“システム”および“ネットワーク”は、しばしば互換可能な形で用いられる。ＣＤＭＡシステムは、ユニバーサル地上無線アクセス（ＵＴＲＡ）、ｃｄｍａ２０００、等の無線技術を実現することができる。ＵＴＲＡは、広帯域−ＣＤＭＡ（Ｗ−ＣＤＭＡ）と、ＣＤＭＡのその他の変形と、を含む。さらに、ｃｄｍａ２０００は、ＩＳ−２０００規格、ＩＳ−９５規格およびＩＳ−８５６規格を網羅する。ＴＤＭＡシステムは、グローバル移動体通信システム（ＧＳＭ）等の無線技術を実現することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実現し得る。ＵＴＲＡおよびＥ−ＵＴＲＡは、ユニバーサル移動体通信システム（ＵＭＴＳ）の一部である。３ＧＰＰロング・ターム・エボリューション（ＬＴＥ）は、Ｅ−ＵＴＲＡを使用し、ダウンリンクにおいてＯＦＤＭＡおよびアップリンクにおいてＳＣ−ＦＤＭＡを採用するＵＭＴＳである。ＵＴＲＡ、Ｅ−ＵＴＲＡ、ＵＭＴＳ、ＬＴＥおよびＧＳＭは、“第３世代パートナーシッププロジェクト”（３ＧＰＰ）という名称の組織から発行された文書において記述されている。さらに、ｃｄｍａ２０００およびＵＭＢは、“第３世代パートナーシッププロジェクト２”（３ＧＰＰ２）という名称の組織から発行された文書に記載されている。さらに、該無線通信システムは、対でない免許不要のスペクトル、８０２．ｘｘ無線ＬＡＮ、ＢＬＵＥＴＯＯＴＨ(登録商標)およびその他の短距離または長距離の無線通信技法をしばしば用いるピアツーピア（例えばモバイル対モバイル）アドホックネットワークシステムをさらに含み得る。
【０１０５】
幾つかのデバイス、構成要素、モジュール、等を含むことができるシステムに関して様々な態様または特徴が提示される。これらの様々なシステムは、付加的なデバイス、構成要素、モジュール等を含み得ることおよび／または図に関連して記載される全てのデバイス、構成要素、モジュール、等を含むわけではないことが理解されるべきである。これらの手法の組み合わせを用いてもよい。
【０１０６】
ここにおいて開示される実施形態に関連して記載される様々な例示的な論理、論理ブロック、モジュール、および回路は、ここに記載の機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、またはそのあらゆる組み合わせを用いて実現または実行し得る。汎用プロセッサはマイクロプロセッサであることができるが、代替では、従来のどのようなプロセッサ、コントローラ、マイクロコントローラ、またはステートマシンであってもよい。プロセッサは、計算デバイスの組み合わせ、例えば、ＤＳＰと、１つのマイクロプロセッサとの組み合わせ、複数のマイクロプロセッサとの組み合わせ、ＤＳＰコアに関連する１つ以上のマイクロプロセッサとの組み合わせ、またはその他のあらゆる適切な構成、として実現することも可能である。さらに、少なくとも１つのプロセッサは、上述のステップおよび／またはアクションのうちの１つ以上を行うように動作可能な１つ以上のモジュールを備え得る。
【０１０７】
さらに、ここに開示される態様に関連して記載される方法またはアルゴリズムのステップおよび／またはアクションは、直接ハードウェア内において、プロセッサによって実行されるソフトウェアモジュール内において、またはこれらの２つの組み合わせ内において実施し得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、または当業において既知であるその他のあらゆる形態の記憶媒体に常駐し得る。典型的記憶媒体は、プロセッサが記憶媒体から情報を読み出し記憶媒体に情報を書き込むようにプロセッサに結合され得る。代わりに、記憶媒体はプロセッサと一体化されてもよい。さらに、幾つかの態様では、プロセッサおよび記憶媒体は、ＡＳＩＣ内に常駐し得る。さらに、ＡＳＩＣは、ユーザ端末内に常駐し得る。代わりに、プロセッサおよび記憶媒体は、ユーザ端末内において個別構成要素として常駐し得る。さらに、幾つかの態様では、方法またはアルゴリズムのステップおよび／またはアクションは、コンピュータプログラム製品内に組み入れることが可能な機械読み取り可能な媒体および／またはコンピュータ読み取り可能な媒体上において符号および／または命令の１つのまたは任意の組み合わせとしてまたは符号または命令の１つのまたは任意の組として常駐し得る。
【０１０８】
１つ以上の態様において、記載の機能は、ハードウェア、ソフトウェア、ファームウェア、またはその組み合わせにおいて実現し得る。ソフトウェアにおいて実現される場合は、これら機能は、コンピュータ読み取り可能な媒体に格納することまたは１つ以上の命令または符号として送信することができる。コンピュータ読み取り可能な媒体は、コンピュータ記憶媒体と、１つの場所から他の場所へのコンピュータプログラムの転送を容易にするあらゆる媒体を含む通信媒体との両方を含む。記憶媒体は、コンピュータによってアクセス可能なあらゆる利用可能な媒体でよい。一例として、かつ限定されるものではなく、該コンピュータ読み取り可能な媒体は、ＲＡＭ、ＲＯＭ、ＥＥＰＲＯＭ、ＣＤ−ＲＯＭまたはその他の光学ディスクストレージ、磁気ディスクストレージまたはその他の磁気記憶デバイス、またはコンピュータによってアクセス可能な命令またはデータ構造の形態で希望されるプログラムコードを搬送または格納するために用いることができるその他の媒体を備え得る。さらに、いずれの接続もコンピュータ読み取り可能な媒体であるとすることができる。例えば、ソフトウェアが、同軸ケーブル、光ファイバーケーブル、より対線、デジタル加入者ライン（ＤＳＬ）、または無線技術、例えば、赤外線、無線、およびマイクロ波、を用いてウェブサイト、サーバ、またはその他の遠隔ソースから送信される場合は、該同軸ケーブル、光ファイバーケーブル、より対線、ＤＳＬ、または無線技術、例えば赤外線、無線、およびマイクロ波、は、媒体の定義の中に含まれる。ここにおいて用いられるときのディスク（ｄｉｓｋおよびｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常はデータを磁気的に複製し、ｄｉｓｃは、レーザを用いて光学的にデータを複製する。上記の組み合わせも、コンピュータ読み取り可能な媒体の適用範囲に含めるべきである。
【０１０９】
上記の開示は、例示的な態様および／または実施形態について説明する一方で、添付の請求項によって定義される記載態様および／または実施形態の適用範囲から逸脱せずに様々な変更および修正し得ることに注目すべきである。さらに、記載態様および／または実施形態の要素は、単数形で記述または請求することができるが、単数形に限定することが明示されない限り複数形が予期される。さらに、いずれの態様および／または実施形態も、別の記述がない限り、その全体または一部を、その他のあらゆる態様および／または実施形態の全体または一部とともに利用し得る。
【図１】
2011512708.tif 000003
【図２】
2011512708.tif 000004
【図３】
2011512708.tif 000005
【図４】
2011512708.tif 000006
【図５】
2011512708.tif 000007
【図６Ａ】
2011512708.tif 000008
【図６Ｂ】
2011512708.tif 000009
【図７Ａ】
2011512708.tif 000010
【図７Ｂ】
2011512708.tif 000011
【図８】
2011512708.tif 000012
【国際調査報告】
2011512708.tif 000013
2011512708.tif 000014
2011512708.tif 000015